(57)【要約】【課題】携帯電話機等の携帯端末機を用いて列車に乗車したり、出金サービス等を受けられるようにする。【解決手段】通信機能を備えた携帯端末機の記憶部に金額データを記憶する金額データ記憶部を設けるとともに、その金額データ記憶部に記憶されている金額データを用いて出金サービス等の所定の処理を行う。【選択図】　　　図４
2004070866.tif 000002
【特許請求の範囲】
【請求項１】
通信機能を備えた携帯端末機の記憶部に金額データを記憶する金額データ記憶部を設けるとともに、その金額データ記憶部に記憶されている金額データを用いて所定の処理を行うことを特徴とする電子マネーシステム。
【請求項２】
請求項１に記載の電子マネーシステムにおいて、所定の処理は、非接触式自動改札機と交信して入出場処理を行うことを特徴とする電子マネーシステム。
【請求項３】
請求項１又は２に記載の電子マネーシステムにおいて、金額データ記憶部に記憶されている金額データに基づいて出金機能を有する駅務機器を用いて出金処理することを特徴とする電子マネーシステム。
【請求項４】
請求項１〜３のいずれかに記載の電子マネーシステムにおいて、金額データ記憶部に記憶される金額データは、所定の金融機関又は他の通信機能を備えた携帯端末機から送信されて記憶されるものであることを特徴とする電子マネーシステム。
【請求項５】
請求項１から４のいずれかに記載の電子マネーシステムにおいて、通信機能を備えた携帯端末機は、携帯電話機であることを特徴とする電子マネーシステム。
【発明の詳細な説明】
【０００１】
【発明の属する技術分野】
本発明は、利用者の所持する無線機能を備えた携帯端末機を利用して列車に乗車したり、あるいは出金サービス等を受けたりすることのできる電子マネーシステムに関する。
【０００２】
【従来の技術】
近年、ＩＴ化の一層の普及に伴い、携帯電話機やＰＤＡ（Ｐｅｒｓｏｎａｌ　Ｄｉｇｉｔａｌ　Ａｓｓｉｓｔａｎｃｅ）　等の無線通信機能を備えた携帯端末機を多くの人々が持つようになってきている。
【０００３】
【発明が解決しようとする課題】
上述のように、携帯電話機等の無線機能を備えた携帯端末機の普及に伴い、その携帯端末機を利用して列車に乗車したり、あるいは、必要に応じて小銭を出金できるようにすることが望まれていた。
【０００４】
そこで、本発明は、上記要望に応えるためになされたものであって、その目的は、利用者の所持する無線通信機能を備えた携帯端末機を利用して列車に乗車したり、あるいは出金処理等ができるようにした電子マネーシステムを提供することにある。
【０００５】
【課題を解決するための手段】
本発明に係る電子マネーシステムは、上記目的を達成するために、請求項１に記載の発明は、通信機能を備えた携帯端末機の記憶部に金額データを記憶する金額データ記憶部を設けるとともに、その金額データ記憶部に記憶されている金額データを用いて所定の処理を行うことを特徴としている。
本発明の請求項２に記載の電子マネーシステムは、所定の処理は、非接触式自動改札機と交信して入出場処理を行うことを特徴としている。
本発明の請求項３に記載の電子マネーシステムは、金額データ記憶部に記憶されている金額データに基づいて出金機能を有する駅務機器を用いて出金処理することを特徴としている。
本発明の請求項４に記載の電子マネーシステムは、金額データ記憶部に記憶される金額データは、所定の金融機関又は他の通信機能を備えた携帯端末機から送信されて記憶されるものであることを特徴としている。
本発明の請求項５に記載の電子マネーシステムは、通信機能を備えた携帯端末機は、携帯電話機であることを特徴としている。
【０００６】
【発明の実施の形態】
以下、本発明の実施の形態を図面に基づいて説明する。図１は、本発明に係る電子マネーシステムの概略構成図である。図１中、ａは、甲駅に設置されている自動券売機、及びＧは非接触式自動改札機（以下、自動改札機で説明する。）である。また、１は、これら駅務機器（ａ，Ｇ）と通信回線Ｌ１　を介して接続され、これら駅務機器（ａ，Ｇ）を管理制御する駅務機器制御装置、いわゆる駅制である。この駅制１には、１台の自動券売機ａ及び１台の自動改札機Ｇしか接続されていないが、実際は、複数台の自動券売機、複数台の自動改札機及び図示しない自動精算機や自動定期券発売機等の他の駅務機器が接続されているが、ここでは図面を簡略化するために省略されている。
【０００７】
図１中、２は、鉄道会社の本社等の所定の中央（図示の例では本社）に設けられたホストコンピュータを中心に構成された中央装置であって、甲駅及び図示しない他の駅に設置されている駅制１と通信回線Ｌ２　を介して接続されている。この中央装置２は、公衆回線網（インターネットを含む）Ｌ３　とも接続されていて、銀行等の金融機関のホストコンピュータＨや基地局Ｔ１　，Ｔ２　を介して利用者（旅客）の所持する、本発明の携帯端末機に相当する携帯電話機（以下、携帯電話として説明する。）Ｋ１　，Ｋ２　との間で交信できるように構成されている。
【０００８】
図２は、駅務機器を制御する制御器及び携帯電話機Ｋ１　，Ｋ２　のブロック図であって、駅務機器の制御器は、メモリ１０に格納されているシステムプログラム及びワーキングデータを用いて所定の演算処理（例えば、駅務機器が自動券売機の場合は、発券等の演算処理、自動改札機Ｇの場合は、入出場（入場又は出場を意味している。）等の演算処理）を行うＣＰＵを中心に形成された制御部１１を有している。
【０００９】
制御部１１には、駅務機器の処理ユニット１２が接続されている。例えば、駅務機器が自動改札機Ｇの場合は、ドア駆動ユニットや人間検知器ユニット等が接続され、自動券売機ａの場合は、発券処理ユニットや金銭処理ユニット等が接続されている。また、この制御部１１には、定期券等の乗車券に記録されているデータを読取るための磁気ヘッド以外に、乗車券が無線通信機能を備えたＩＣカードからなる非接触券及び携帯電話機Ｋ１　，Ｋ２　との間でデータ授受を行うためのアンテナ１３ａを備えたリーダライタ１３と、上位機器である駅制１と通信を行うための通信制御部１４とが接続されている。
【００１０】
携帯電話機Ｋ１　，Ｋ２　（携帯電話Ｋ１　，Ｋ２　は同一構成なので、携帯電話Ｋ１　を例に説明する。）には、周知の携帯電話機と同様に、アンテナ２０ａを介して所定の基地局（図１のでは、携帯電話Ｋ１　は基地局Ｔ１　、携帯電話Ｋ２　は基地局Ｔ２　）を介して他の携帯電話（図１では、携帯電話Ｋ１　と携帯電話Ｋ２　間）あるいは図示しない固定電話機等との間で交信するとともに、駅務機器（ａ，Ｇ）のリーダライタ１３側とも交信することのできる送受信部２０と、メモリ２１に記憶されているシステムプログラムや所定のワーキングデータを用いて携帯電話機Ｋ１　を統括的に制御するＣＰＵを中心に形成された制御部２２とを有している。この制御部２２には、テンキーからなる操作部、表示画面からなる表示部及び送受話部等が接続されるが、ここでは省略されている。上記メモリ２１には、金額データを記憶する金額データ記憶部２１ａが設けられていて、そのデータ記憶部２１ａには、後述するように、金融機関又は他の携帯電話から得られた所定の金額データを記憶できるように構成されている。
【００１１】
以下、図３（ａ），（ｂ）のフローチャートを用いて携帯電話Ｋ１　への金額データの書込制御動作について説明する。先ず、最初に金融機関からの金額データの書込みについて図３（ａ）を用いて説明する。携帯電話Ｋ１　が所定のキー操作により入金モードに設定され、その携帯電話Ｋ１　と利用者イと取引関係にある金融機関のホストコンピュータＨとの間で交信が行われる（ステップ１００肯定、ステップ１０２。以下、ステップを「Ｓ」とする。）。
【００１２】
ホストコンピュータＨでは、携帯電話Ｋ１　から得た暗証番号などを基に利用者イを確認するとともに、その確認の下に、要求している金額が利用者イの口座に残額として存在しているか否か、あるいは、その要求している金額が利用者イに対する貸付限度額以内か否か等の十分な安全性のチェックを行い、そのチェックがＯＫであれば（Ｓ１０４肯定）、ホストコンピュータＨから所定の金額データが携帯電話Ｋ１　に送信される。そして、その送信された金額データは、メモリ２１の金額データ記憶部２１ａに記憶される（書込まれる）（Ｓ１０６）。もちろん、利用者イの口座の残額不足などにより携帯電話Ｋ１　に対して金額データを送信できないときは、金額データを送信できない旨が携帯電話Ｋ１　に案内表示される。
【００１３】
図３（ｂ）は、利用者イの携帯電話Ｋ１　に利用者ロの携帯電話Ｋ２　に記憶されている金額データを書換える制御動作、いわゆる利用者イが利用者ロから金銭を融通してもらう制御動作について説明する。この場合、先ず、携帯電話Ｋ１　から携帯電話Ｋ２　が発呼されて携帯電話Ｋ１　及び携帯電話Ｌ２　が交信状態とされる（Ｓ２００肯定、Ｓ２０２）。なお、携帯電話Ｋ２　から携帯電話Ｋ１　を発呼して交信状態としてもよい。
【００１４】
携帯電話１　及び携帯電話Ｋ２　の交信状態において、利用者ロは、携帯電話Ｋ２　を操作して携帯電話Ｋ２　を金額データ書替モードに設定する（Ｓ２０４肯定）。この書替モードの設定は、利用者イの携帯電話Ｋ１　の番号を再確認する形で、また、利用者イに送信する金額を確認する形で慎重な操作の下に行われ、最終的には、金額データ送信確認釦を押下することにより所定の金額データが携帯電話ロから携帯電話イに送信されて金額データの書替えが行われる（Ｓ２０６）。したがって、利用者イの携帯電話Ｋ１　のメモリ２１の金額データ記憶部２１ａには、利用者ロの携帯電話Ｋ２　から送信されてきた金額データが記憶される。当然、利用者ロの携帯電話Ｋ２　のメモリ２１の金額データ記憶部２１ａの金額は、利用者イへ送信した分だけ減額される。
【００１５】
上述の例は、携帯電話Ｋ１　に金融機関のホストコンピュータＨからの入金と、利用者ロの携帯電話Ｋ２　からの入金の例を示したが、自動改札機Ｇで使用するＳＦカード機能を備えた非接触券に対する金額の積増処理と同様にして入金することもできる。この場合、先ず携帯電話Ｋ１　は、積増処理可能な自動券売機ａや図示しないカード発行機等の駅務機器の交信範囲内におかれる。そして、その駅務機器に入金しようとする金額の金銭を投入し、その駅務機器の所定の入金ボタンを押下することにより行われる。この駅務機器を用いた入金処理後は、携帯電話Ｋ１　のメモリ２１の金額データ記憶部２１ａには、駅務機器に投入された金額の金額データが記憶される。
【００１６】
図４（ａ）は、メモリ２１の金額データ記憶部２１ａに記憶されている金額データを用いて自動改札機Ｇで入出場するときの制御動作を示している。すなわち、携帯電話Ｋ１　が自動改札機Ｇのアンテナ１３ａ（図２参照）に軽くタッチされ又はそのアンテナ１３ａにかざされると（Ｓ３００肯定）、自動改札機Ｇ及び携帯電話Ｋ１　間でデータ授受が行われる（Ｓ３０２）。
【００１７】
自動改札機Ｇでは、携帯電話Ｋ１　の金額データ記憶部２１ａに記憶されている金額データの残額（現在記憶されている金額）が入出場を許可できると判定したとき（Ｓ３０４肯定）、その金額データ記憶部２１ａに記憶されている金額から入出場に伴う金額を減額して新たな残額をその金額データ記憶部２１ａに書込むとともに、ドアを開いて（自動改札機Ｇがノーマルオープン型のときはそのまま）利用者イの入出場が許可される（Ｓ３０６）。もちろん、携帯電話Ｋ１　に記憶されている残額が入出場できない金額のときは（Ｓ３０４否定）、ドアが閉じられて利用者イの入出場は阻止され、精算案内等の所定の案内が表示画面やスピーカを介して行われる（Ｓ３０５）。
【００１８】
図４（ｂ）は、利用者イの所持する携帯電話Ｋ１　に記憶されている金額データに基づいて自動券売機ａを用いて小銭等の現金を出金する（引き出す）制御動作を示している。いわゆる、利用者イが手元に現金がないときの制御動作である。
【００１９】
利用者イが自動券売機ａを用いて出金するには、先ず、携帯電話Ｋ１　が自動券売機ａのアンテナ１３ａ（図２参照）の設けられている載置台におかれてその自動券売機ａと携帯電話Ｋ１　との間でデータ授受が行われる（Ｓ４００肯定、Ｓ４０２）。
【００２０】
自動券売機ａでは、携帯電話Ｋ１　のメモリ２１の金額データ記憶部２１ａに出金するだけの残額があれば、すなわち、携帯電話Ｋ１　との交信の下、自動券売機ａの所定の釦が押下されて自動券売機ａが出金モードとされ、かつ、所定の出金金額が入力されると、その入力された出金金額を満たす金額が存在すれば、自動券売機ａの金銭処理ユニットを介して出金処理が行われる（Ｓ４０８）。この出金が行われたときは、当然に、その出金金額に見合う金額が金額データ記憶部２１ａから減額処理されて新たな残額が書込まれる。なお、この出金処理に伴って、所定の手数料を徴収するように運用されているときは、その手数料も減額処理される。入力された出金金額が携帯電話Ｋ１　に記憶されている残額を越えているときは、出金は当然に拒否される（Ｓ４０４否定、Ｓ４０７）。
【００２１】
なお、上述の出金処理は、自動券売機ａを用いた例を示したが、金銭処理ユニットを備えた他の駅務機器、例えば、自動精算機や自動定期券発売機等であってもよい。また、携帯電話Ｋ１　を中心に説明したが、携帯電話Ｋ２　においても同様の処理を行うことができることはいうまでもない。
【００２２】
【発明の効果】
本発明の請求項１に記載の電子マネーシステムは、通信機能を備えた携帯端末機の記憶部に金額データを記憶する金額データ記憶部を設けるとともに、その金額データ記憶部に記憶されている金額データを用いて所定の処理を行うので、利用者の所持する携帯端末機を用いて列車に乗車したり、出金サービスなどを受けることができる。
本発明の請求項２に記載の電子マネーシステムは、所定の処理は、非接触式自動改札機と交信して入出場処理を行うので、利用者の所持する携帯端末機を用いて列車に乗車することができる。
【００２３】
本発明の請求項３に記載の電子マネーシステムは、金額データ記憶部に記憶されている金額データに基づいて出金機能を有する駅務機器を用いて出金処理するので、自動券売機等の駅務機器を用いて出金サービスを受けることができる。
本発明の請求項４に記載の電子マネーシステムは、金額データ記憶部に記憶される金額データは、所定の金融機関又は他の通信機能を備えた携帯端末機から送信されて記憶されるものであるので、容易に金額データを記憶させることができる。
本発明の請求項５に記載の電子マネーシステムは、通信機能を備えた携帯端末機は、携帯電話機であるので、広く普及している携帯電話を利用することができる。
【図面の簡単な説明】
【図１】本発明の電子マネーシステムの概略構成図である。
【図２】駅務機器の制御器及び携帯電話の概略構成を示すブロック図である。
【図３】制御動作を示すフローチャートである。
【図４】制御動作を示すフローチャートである。
【符号の説明】
ａ　自動券売機
Ｇ　自動改札機（非接触式自動改札機）
１　駅制
２　中央装置
Ｌ１　，Ｌ２　　通信回線
Ｌ３　　公衆回線網
Ｔ１　，　Ｔ２　　基地局
Ｋ１　，Ｋ２　　携帯電話機（携帯端末機）
Ｈ　金融機関のホストコンピュータ
【図１】
2004070866.tif 000003
【図２】
2004070866.tif 000004
【図３】
2004070866.tif 000005
【図４】
2004070866.tif 000006